(57)【特許請求の範囲】
【請求項１】
複数のＴＤＭ／ＡＴＭ網間をＭＰＬＳ−ＴＰ網を介して接続し、該ＭＰＬＳ−ＴＰ網内をＭＰＬＳ−ＴＰフレームにより伝送するネットワーク制御システムに於いて、
前記ＭＰＬＳ−ＴＰフレームの送信先アドレスと送信元アドレスとのアドレス領域を、ＣＣＭペイロードに変換して、前記ＭＰＬＳ−ＴＰ網内を伝送する送受信手段と、
前記ＣＣＭペイロードに前記ＭＰＬＳ−ＴＰフレームの送信数情報を付加して送信する手段と、
前記ＭＰＬＳ−ＴＰフレームの受信カウント値と前記ＣＣＭペイロードに付加された送信数情報とを基に、フレームロスの有無を判定する手段と
を含む構成を備えたことを特徴とするネットワーク制御システム。
【請求項２】
前記ＴＤＭ／ＡＴＭ網と前記ＭＰＬＳ−ＴＰ網との間の転送処理を行う装置は、前記ＴＤＭ／ＡＴＭ網内を伝送するＴＤＭ／ＡＴＭデータと前記ＭＰＬＳ−ＴＰ網内を伝送するＭＰＬＳ−ＴＰフレームとの変換処理を行う変換部と、前記ＭＰＬＳ−ＴＰフレームの送信先アドレスと送信元アドレスとのアドレス領域に送信フレーム数情報を付加するＣＣＭペイロードに変換して前記ＭＰＬＳ−ＴＰ網に送信する手段と、前記ＭＰＬＳ−ＴＰ網を介して転送された受信ＭＰＬＳ−ＴＰフレームの前記ＣＣＭペイロードに付加した送信フレーム数情報と受信カウントしたフレーム数とによりフレームロスの有無を判定する手段とを含む構成を備えたことを特徴とする請求項１記載のネットワーク制御システム。
【請求項３】
前記ＭＰＬＳ−ＴＰ網内のＭＰＬＳ−ＴＰフレームの転送処理を行う装置は、前記ＭＰＬＳ−ＴＰフレームの送受信手段と、ＭＰＬＳ−ＴＰフレーム数をカウントするカウント手段と、該カウント手段によるカウント数情報と受信ＭＰＬＳ−ＴＰフレームのＣＣＭペイロードに付加された送信フレーム数情報とを比較してフレームロス検出を行う手段と、前記カウント手段によるカウント数情報を送信ＭＰＬＳ−ＴＰフレームのＣＣＭペイロードに送信フレーム数情報として付加する手段とを含む構成を備えたことを特徴とする請求項１記載のネットワーク制御システム。
【請求項４】
ＴＤＭ／ＡＴＭデータを伝送する複数のＴＤＭ／ＡＴＭ網間を、ＭＰＬＳ−ＴＰフレームを伝送するＭＰＬＳ−ＴＰ網を介して接続し、該ＭＰＬＳ−ＴＰ網内をＭＰＬＳ−ＴＰフレームにより伝送するネットワーク制御方法に於いて、
前記ＭＰＬＳ−ＴＰフレームの送信先アドレスと送信元アドレスとのアドレス領域をＣＣＭペイロードに変換し、該ＣＣＭペイロードに、前記ＭＰＬＳ−ＴＰフレームの送信数情報を付加して送信する処理過程と、
前記ＭＰＬＳ−ＴＰフレームを受信して、該ＭＰＬＳ−ＴＰフレームの受信数をカウントアップしたカウント値と、前記ＣＣＭペイロードに付加された送信数情報とを比較して、フレームロスの有無を判定する処理過程と
を含むことを特徴とするネットワーク制御方法。
【請求項５】
前記ＭＰＬＳ−ＴＰ網内のＭＰＬＳ−ＴＰフレームを転送する処理過程に於ける前記ＭＰＬＳ−ＴＰフレームの送信フレーム数情報を前記ＣＣＭペイロードに付加して送信し、受信ＭＰＬＳ−ＴＰフレーム数をカウントして、該受信ＭＰＬＳ−ＴＰフレームの前記ＣＣＭペイロードに付加された送信フレーム数情報とを比較してフレームロスの有無を判定する処理過程を含むことを特徴とする請求項４記載のネットワーク制御方法。
【発明の詳細な説明】
【技術分野】
【０００１】
本発明は、ネットワークの伝送効率を低下させることなく、フレーム伝送径路の正常性を監視可能とするネットワーク制御システム及びネットワーク制御方法に関する。
【背景技術】
【０００２】
各種の情報を伝送する為のネットワーク制御システムは、既に各種の構成が提案され、且つ実用化されている。又５３バイトの固定長のセル構成により伝送するＡＴＭ（Ａｓｙｎｃｈｒｏｎｏｕｓ  Ｔｒａｎｓｆｅｒ  Ｍｏｄｅ）、多重化同期伝送を行うＳＤＨ（Ｓｙｎｃｈｒｏｎｏｕｓ  Ｄｉｇｉｔａｌ  Ｈｉｅｒａｒｃｈｙ）、時分割伝送を行うＴＤＭ（Ｔｉｍｅ  Ｄｉｖｉｓｉｏｎ  Ｍｕｌｔｉｐｌｅｘｉｎｇ）、可変長データ伝送を可能とするＩＰ（Ｉｎｔｅｒｎｅｔ  Ｐｒｏｔｏｃｏｌ）、モバイル通信の３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）やＬＴＥ（Ｌｏｎｇ  Ｔｅｒｍ  Ｅｖｏｌｕｔｉｏｎ）等の各種の伝送方式によるデータ伝送を、統合して伝送処理を可能とするＭＰＬＳ−ＴＰ（Ｍｕｌｔｉ  Ｐｒｏｔｏｃｏｌ  Ｌａｂｅｌ  Ｓｗｉｔｃｈｉｎｇ−Ｔｒａｎｓｐｏｒｔ  Ｐｒｏｆｉｌｅ）が知られている。
【０００３】
このＭＰＬＳ−ＴＰ方式を適用したネットワークは、例えば、図４に概略構成を示すように、ＭＰＬＳ−ＴＰ網４１により、複数の例えばＴＤＭ／ＡＴＭ網４２〜４４間を接続し、網間転送制御を行う装置Ａと、網内転送制御を行う装置Ｂとを含み、ルーティング処理は、送信先アドレスＤＡや送信元アドレスＳＡではなく、装置Ａ，Ｂのポート対応に設定されたラベル値をフレームに付加して、例えば、ＴＤＭ／ＡＴＭ網４２〜４４間について、矢印径路のルーティングを行うことが可能としたルーティング・システムである。又ＭＰＬＳ−ＴＰフレームとは別個のＭＰＬＳ−ＴＰ  ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）フレームを、矢印径路に順次伝送することにより、ＭＰＬＳ−ＴＰフレームの伝送経路に沿ったＭＰＬＳ−ＴＰ網４１内の警報監視、性能監視、径路切替、疎通確認、遅延測定、フレームロス検出等を行うことが可能である。
【０００４】
図５は、前述の従来例の装置Ａ，Ｂの処理機能の要部を示し、ＴＤＭ／ＡＴＭ網４２とＭＰＬＳ−ＴＰ網４１との間に接続した装置Ａは、ＴＤＭ／ＡＴＭ網４２からのＴＤＭ／ＡＴＭデータ受信を行うデータ受信部５０、ＴＤＭ／ＡＴＭデータをＭＰＬＳ−ＴＰフレームに変換する変換処理部５１、挿入部５２、ＣＣＭ（Ｃｏｎｔｉｎｕｉｔｙ  Ｃｈｅｃｋ  Ｍｅｓｓａｇｅ）フレームを生成処理するＣＣＭフレーム生成部５３、ＭＰＬＳ−ＴＰ網４１へＭＰＬＳ−ＴＰ／ＣＣＭフレームを送信するフレーム送信部５４、ＭＰＬＳ−ＴＰ網４１からＭＰＬＳ−ＴＰ／ＣＣＭフレームを受信するフレーム受信部５５、分離部５６、ＭＰＬＳ−ＴＰフレームからＣＣＭフレームを分離するフレーム処理部５７、ＣＣＭフレームの処理によりフレームロス等の検出判定処理を行うＣＣＭフレーム処理部５８、ＭＰＬＳ−ＴＰフレームからＴＤＭ／ＡＴＭフレームへ変換処理するフレーム変換部５９、ＴＤＭ／ＡＴＭ網４２へ送信するデータ送信部６０とを含む構成を備えている。又ＭＰＬＳ−ＴＰ網４１内の装置Ｂは、受信部６１、送信部６７、分離部６２、ＭＰＬＳ−ＴＰフレームからＣＣＭフレームを分離する分離処理部６３、ＣＣＭフレームによるフレームロス検出等を行うフレーム処理部６４、挿入部６５、ＣＣＭフレームを生成するＣＣＭフレーム生成部６６、ＭＰＬＳ−ＴＰ／ＣＣＭフレームの送信部６７を含む構成を備え、ＣＣＭフレーム生成部６６は、ＭＰＬＳ−ＴＰフレームの所定周期毎にＣＣＭフレームの生成処理を実行して、送信部６７からＭＰＬＳ−ＴＰ網４１へ送信する。
【０００５】
ＴＤＭ／ＡＴＭ網４２とＭＰＬＳ−ＴＰ網４１との間に設けた装置Ａは、ＴＤＭ／ＡＴＭ網４２からデータ受信部５０によって受信したＴＤＭ／ＡＴＭデータを変換処理部５１へ転送し、この変換処理部５１によりＭＰＬＳ−ＴＰフレームに変換し、挿入部５２を介してフレーム送信部５４からＭＰＬＳ−ＴＰ網４１へ送信する。又ＣＣＭフレーム生成部５３により所定の周期で生成したＣＣＭフレームを挿入部５２により挿入し、フレーム送信部５４からＭＰＬＳ−ＴＰ網４１へ送信する。又フレーム受信部５５は、ＭＰＬＳ−ＴＰ網４１からのＭＰＬＳ−ＴＰフレーム又はＣＣＭフレームを受信し、ＣＣＭフレームは、分離部５６からフレーム処理部５７を介してＣＣＭフレーム処理部５８へ転送し、又ＭＰＬＳ−ＴＰフレームは、フレーム変換部５９によりＴＤＭ／ＡＴＭデータに変換し、データ送信部６０からＴＤＭ／ＡＴＭ網４２へ送信する。又装置Ｂは、ＭＰＬＳ−ＴＰ網４１内で、ＭＰＬＳ−ＴＰ／ＣＣＭフレームの転送処理を行うもので、ＣＣＭフレームについては、ＣＣＭフレーム処理部６４により受信処理し、又ＣＣＭフレーム生成部６６により送信フレーム数情報等を付加したＣＣＭフレームの生成処理を行って、送信部６７からＭＰＬＳ−ＴＰ網４１内の他の装置Ｂ又は装置Ａへ転送する機能を備えている。
【０００６】
又複数のノードを介してフレーム転送を行うＭＰＬＳシステムに於いて、複数の隣接ノードに対する優先経路と迂回経路とを予め設定し、正常時は、優先径路対応のラベルによる転送処理を行い、障害検出時には直ちに迂回径路対応のラベルによる迂回転送処理を行うことにより、障害発生によるフレームロスを最小限に抑える手段が提案されている（例えば、特許文献１参照）。又ＭＰＬＳシステム又は固定長ラベルを含む単一或は複数のラベルを用いて転送制御するＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）システムに於いて、現用径路と予備径路とを設定してテーブルに記憶しておき、現用径路に設定した監視用パスにより、その現用径路の正常性を監視し、その現用径路の障害発生検出時に、テーブルを参照して、障害発生現用径路を予備径路に切替えて転送制御を行うデータ中継手段が提案されている（例えば、特許文献２参照）。
【０００７】
又ＳＤＨ／ＳＯＮＥＴ信号をＭＰＬＳフレームにカプセル化して、これを主信号として送信側から所定の周期で送信を繰り返し、一般的には主信号の送信周期より長い所定の周期で送信するＯＡＭ信号は、全く送信しない運用を行うシステム構成とし、受信側は、周期的な主信号の受信ができなかった場合、主信号が伝送されていない状態かアイドル状態かを検出し、アイドル状態の時に、伝送路障害を通知するＯＡＭ信号を対向装置へ送信する構成及び方法が提案されている（例えば、特許文献３参照）。
【先行技術文献】
【特許文献】
【０００８】
【特許文献１】特開２００６−３３３０７号公報
【特許文献２】特開２００６−２５３９２７号公報
【特許文献３】特開２０１１−９８１１号公報
【発明の概要】
【発明が解決しようとする課題】
【０００９】
ＭＰＬＳ−ＴＰ技術を適用したデータ伝送システムに於いては、前述のように、現用伝送径路の正常性を確認する為に、ＭＰＬＳ−ＴＰ  ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）技術を適用する場合が一般的である。このＯＡＭフレームは、ＭＰＬＳ−ＴＰネットワーク内の警報監視、性能監視、径路切替、疎通確認、伝送遅延測定、フレームロス検出等を実行可能とする為のものであり、例えば、フレームロスを検出する場合、ＭＰＬＳ−ＴＰ  ＯＡＭのＬＭ（Ｌｏｓｓ  Ｍｅａｓｕｒｅｍｅｎｔ）機能を使用するもので、そのＬＭ機能を、ユーザ側の契機として実行する場合は、ＭＰＬＳ−ＴＰ  ＯＡＭのＯＡＭペイロード（Ｐａｙｌｏａｄ）を、ＬＭＭ  ＰＤＵ（Ｌｏｓｓ  Ｍｅａｓｕｒｅｍｅｎｔ  Ｍｅｓｓａｇｅ  Ｐｒｏｔｏｃｏｌ  Ｄａｔａ  Ｕｎｉｔ）又はＬＭＲ  ＰＤＵ（Ｌｏｓｓ  Ｍｅａｓｕｒｅｍｅｎｔ  Ｒｅｐｌｙ  Ｐｒｏｔｏｃｏｌ  Ｄａｔａ  Ｕｎｉｔ）とし、又定期監視として実行する場合は、ＭＰＬＳ−ＴＰ  ＯＡＭのＯＡＭペイロード（Ｐａｙｌｏａｄ）を、ＣＣＭ  ＰＤＵ（Ｃｏｎｔｉｎｕｉｔｙ  Ｃｈｅｃｋ  Ｍｅｓｓａｇｅ  Ｐｒｏｔｏｃｏｌ  Ｄａｔａ  Ｕｎｉｔ）とする。又ＣＣＭフレームによるフレームロス検出は、定期的に、ＭＰＬＳ−ＴＰフレーム送信数情報を付加したＣＣＭフレームを送信側装置から受信側装置へ送出し、受信側装置は、ＣＣＭフレームを受信して、ＭＰＬＳ−ＴＰフレーム送信数情報を抽出し、そのＭＰＬＳ−ＴＰフレーム送信数と、受信側装置で実際に受信して計数したＭＰＬＳ−ＴＰフレーム受信数とを比較し、比較一致の場合はフレームロス無しと判定し、比較不一致の場合はフレームロス有りと判定する。又定期的に受信するＣＣＭフレームが３回連続して到着しなかった場合、ＬＯＣ（Ｌｏｓｓ  Ｏｆ  Ｃｏｎｔｉｎｕｉｔｙ）警報を出力する機能を備えている。
【００１０】
前述のように、従来は、ＭＰＬＳ−ＴＰネットワークの信頼性を維持する為に、ＭＰＬＳ−ＴＰフレームとは別個にＭＰＬＳ−ＴＰ  ＯＡＭフレームを所定の周期で伝送するものであり、従って、そのＭＰＬＳ−ＴＰ  ＯＡＭフレームの伝送周期を短縮することにより、フレームロス検出の迅速化を図ることが可能である。しかし、ＭＰＬＳ−ＴＰ  ＯＡＭフレームの伝送周期を短縮して、フレームロス検出を迅速化することは、主信号のＭＰＬＳ−ＴＰフレームの伝送帯域を圧迫する問題が生じる。従って、ＭＰＬＳ−ＴＰ  ＯＡＭフレームの伝送時間間隔より短い時間で、主信号のＭＰＬＳ−ＴＰフレームのフレームロスを検出することは不可能であった。又前述の先行技術文献３による定期的なＯＡＭ信号を使用しない手段を適用した場合、主信号の伝送帯域圧迫の問題を回避することが可能となるが、所定の周期で主信号の受信ができない場合に、アイドル状態か否かを判定し、アイドル状態の場合に伝送路障害を通知するものであり、フレームロス検出の迅速化は困難であった。
【００１１】
本発明は、前述の従来例の問題点を解決することを目的とし、ＭＰＬＳ−ＴＰフレームに、ＯＡＭ機能を付加することによって、フレーム伝送帯域を圧迫することなく、フレームロス検出の迅速化を可能とするものである。
【課題を解決するための手段】
【００１２】
本発明のネットワーク制御システムは、複数のＴＤＭ／ＡＴＭ網間をＭＰＬＳ−ＴＰ網を介して接続し、該ＭＰＬＳ−ＴＰ網内をＭＰＬＳ−ＴＰフレームにより伝送するネットワーク制御システムに於いて、前記ＭＰＬＳ−ＴＰフレームの送信先アドレスと送信元アドレスとのアドレス領域を、ＣＣＭペイロードに変換して、前記ＭＰＬＳ−ＴＰ網内を伝送する送受信手段と、前記ＣＣＭペイロードに前記ＭＰＬＳ−ＴＰフレームの送信数情報を付加して送信する手段と、前記ＭＰＬＳ−ＴＰフレームの受信カウント値と前記ＣＣＭペイロードに付加された送信数情報とを基に、フレームロスの有無を判定する手段とを含む構成を備えている。
【００１３】
又前記ＴＤＭ／ＡＴＭ網と前記ＭＰＬＳ−ＴＰ網との間の転送処理を行う装置は、前記ＴＤＭ／ＡＴＭ網内を伝送するＴＤＭ／ＡＴＭデータと前記ＭＰＬＳ−ＴＰ網内を伝送するＭＰＬＳ−ＴＰフレームとの変換処理を行う変換部と、前記ＭＰＬＳ−ＴＰフレームの送信先アドレスと送信元アドレスとのアドレス領域に送信フレーム数情報を付加するＣＣＭペイロードに変換して前記ＭＰＬＳ−ＴＰ網に送信する手段と、前記ＭＰＬＳ−ＴＰ網を介して転送された受信ＭＰＬＳ−ＴＰフレームの前記ＣＣＭペイロードに付加した送信フレーム数情報と受信カウントしたフレーム数とによりフレームロスの有無を判定する手段とを含む構成を備えている。
【００１４】
又前記ＭＰＬＳ−ＴＰ網内のＭＰＬＳ−ＴＰフレームの転送処理を行う装置は、前記ＭＰＬＳ−ＴＰフレームの送受信手段と、ＭＰＬＳ−ＴＰフレーム数をカウントするカウント手段と、該カウント手段によるカウント数情報と受信ＭＰＬＳ−ＴＰフレームのＣＣＭペイロードに付加された送信フレーム数情報とを比較してフレームロス検出を行う手段と、前記カウント手段によるカウント数情報を送信ＭＰＬＳ−ＴＰフレームのＣＣＭペイロードに送信フレーム数情報として付加する手段とを含む構成を備えている。
【００１５】
本発明のネットワーク制御方法は、ＴＤＭ／ＡＴＭデータを伝送する複数のＴＤＭ／ＡＴＭ網間を、ＭＰＬＳ−ＴＰフレームを伝送するＭＰＬＳ−ＴＰ網を介して接続し、該ＭＰＬＳ−ＴＰ網内をＭＰＬＳ−ＴＰフレームにより伝送するネットワーク制御方法であって、前記ＭＰＬＳ−ＴＰフレームの送信先アドレスと送信元アドレスとのアドレス領域をＣＣＭペイロードに変換し、該ＣＣＭペイロードに、前記ＭＰＬＳ−ＴＰフレームの送信数情報を付加して送信する処理過程と、前記ＭＰＬＳ−ＴＰフレームを受信して、該ＭＰＬＳ−ＴＰフレームの受信数をカウントアップしたカウント値と、前記ＣＣＭペイロードに付加された送信数情報とを比較して、フレームロスの有無を判定する処理過程とを含むものである。
【００１６】
又前記ＭＰＬＳ−ＴＰ網内のＭＰＬＳ−ＴＰフレームを転送する処理過程に於ける前記ＭＰＬＳ−ＴＰフレームの送信フレーム数情報を前記ＣＣＭペイロードに付加して送信し、受信ＭＰＬＳ−ＴＰフレーム数をカウントして、該受信ＭＰＬＳ−ＴＰフレームの前記ＣＣＭペイロードに付加された送信フレーム数情報とを比較してフレームロスの有無を判定する処理過程を含むものである。
【発明の効果】
【００１７】
従来例のＭＰＬＳ−ＴＰフレームの送信元アドレスと送信先アドレスとを、ＣＣＭペイロードとし、そのＣＣＭペイロードにより送信フレーム数情報を送信し、その送信フレーム数情報と、受信カウントしたフレーム数とを基に、フレームロスの有無を判定するものであるから、ＭＰＬＳ−ＴＰ網内では、ＯＡＭフレームを転送することなく、ＭＰＬＳ−ＴＰフレームの転送処理のみにより、そのフレーム受信毎にフレームロスの有無を迅速に判定することが可能となる利点がある。
【図面の簡単な説明】
【００１８】
【図１】本発明の実施例１の説明図である。
【図２】本発明の実施例１の伝送フレームの説明図である。
【図３】本発明の実施例１の動作概要の従来例との比較説明図である。
【図４】ネットワーク構成の説明図である。
【図５】従来例の説明図である。
【発明を実施するための形態】
【００１９】
本発明のネットワーク制御システムは、図１を参照すると、複数のＴＤＭ／ＡＴＭ網間をＭＰＬＳ−ＴＰ網を介して接続し、このＭＰＬＳ−ＴＰ網内をＭＰＬＳ−ＴＰフレームにより伝送するネットワーク制御システムであって、前記ＭＰＬＳ−ＴＰフレームの送信先アドレスと送信元アドレスとのアドレス領域を、ＣＣＭペイロードに変換して、前記ＭＰＬＳ−ＴＰ網内を伝送する送受信手段（フレーム送信部４、フレーム受信部５、フレーム受信部１１、フレーム送信部１５）と、前記ＣＣＭペイロードに前記ＭＰＬＳ−ＴＰフレームの送信数情報を付加して送信する手段（ＣＣＭペイロード変換部３、送信数情報付与部１４）と、前記ＭＰＬＳ−ＴＰフレームの受信カウント値（フレームカウント部７，１３）と前記ＣＣＭペイロードに付加された送信数情報とを基に、フレームロスの有無を判定する手段とを含む構成を備えている。
【００２０】
本発明のネットワーク制御方法は、ＴＤＭ／ＡＴＭデータを伝送する複数のＴＤＭ／ＡＴＭ網間を、ＭＰＬＳ−ＴＰフレームを伝送するＭＰＬＳ−ＴＰ網を介して接続し、前記ＭＰＬＳ−ＴＰ網内をＭＰＬＳ−ＴＰフレームにより伝送するネットワーク制御方法であって、前記ＭＰＬＳ−ＴＰフレームの送信先アドレスと送信元アドレスとのアドレス領域をＣＣＭペイロードに変換し、このＣＣＭペイロードに、前記ＭＰＬＳ−ＴＰフレームの送信数情報を付加して送信する処理過程と、前記ＭＰＬＳ−ＴＰフレームを受信して、このＭＰＬＳ−ＴＰフレームの受信数をカウントアップしたカウント値と、前記ＣＣＭペイロードに付加された送信数情報とを比較して、フレームロスの有無を判定する処理過程とを含むものである。
【実施例１】
【００２１】
図１は、本発明の実施例１の説明図であり、図４に示すネットワーク構成の中の装置Ａ，Ｂについての実施例の機能ブロック図であって、装置Ａは、ＴＤＭ／ＡＴＭ網とＭＰＬＳ−ＴＰ網との間のフレーム転送の機能を有する伝送装置であり、又装置Ｂは、ＭＰＬＳ−ＴＰ網内のＭＰＬＳ−ＴＰフレームの転送機能を有する伝送装置である。装置Ａは、ＴＤＭ／ＡＴＭデータ受信部１と、ＴＤＭ／ＡＴＭデータとＭＰＬＳ−ＴＰフレームとの変換を行う変換部２と、送信先アドレスＤＡと送信元アドレスＳＡとを付加するアドレス領域をＣＣＭペイロードに変換するＣＣＭペイロード変換部３と、ＭＰＬＳ−ＴＰ網へＭＰＬＳ−ＴＰフレームを送信するフレーム送信部４と、ＭＰＬＳ−ＴＰ網からのＭＰＬＳ−ＴＰフレームを受信するフレーム受信部５と、分離部６と、フレーム受信部５により受信したＭＰＬＳ−ＴＰフレームの受信数をカウントするフレームカウント部７と、ＭＰＬＳ−ＴＰフレームをＴＤＭ／ＡＴＭデータに変換する変換部８と、変換したＴＤＭ／ＡＴＭデータをＴＤＭ／ＡＴＭ網へ送信する送信部９とを含む構成を備えている。
【００２２】
又ＭＰＬＳ−ＴＰ網内の装置Ｂは、ＭＰＬＳ−ＴＰフレームを受信するフレーム受信部１１と、分離部１２と、受信ＭＰＬＳ−ＴＰフレームをカウントするフレームカウント部１３と、ＭＰＬＳ−ＴＰフレームの送信数情報としてフレームカウント部１３によるカウント値を付加する送信数情報付与部１４と、ＭＰＬＳ−ＴＰフレームをＭＰＬＳ−ＴＰ網へ送信するフレーム送信部１５とを含む構成を備えている。この装置Ｂ内のフレームカウント部１３による受信フレーム数と、ＣＣＭペイロードに付加されている送信数情報としての送信フレーム数との比較照合手段は図示を省略しているが、例えば、この比較照合手段をフレームカウント部１３に設けることができる。そして、受信フレーム数と、ＣＣＭペイロードに付加された送信数情報とを比較し、比較一致により、フレームロス無しと判定することができる。又フレームカウント部１３により、ＭＰＬＳ−ＴＰフレームを転送送信するフレーム数をカウントし、送信数情報として、送信数情報付与部１４に於いてＣＣＭペイロードに付与することができる。
【００２３】
図２は、本発明の実施例１の伝送フレームの説明図であり、（ａ）はＣＣＭフレームフォーマット、（ｂ）はＣＣＭ  ＰＤＵフォーマット、（ｃ）はＣＣＭペイロード、（ｄ）はＭＰＬＳ−ＴＰフレームフォーマット、（ｅ）はＣＣＭペイロード付与ＭＰＬＳ−ＴＰフレームフォーマットを示す。ＣＣＭフレームフォーマット（ａ）は、６バイトの送信先アドレスＤＡ、６バイトの送信元アドレスＳＡ、２バイトのフレームタイプＴｙｐｅ、８バイトのＭＰＬＳ  Ｌａｂｅｌ  ｓｔａｃｋ、４バイトのＯＡＭ  Ｈｅａｄｅｒ、７５バイトのＯＡＭ  Ｐａｙｌｏａｄ、４バイトのフレームチェックシーケンスＦＣＳを含む合計１０５バイト構成の場合を示す。又７５バイトのＯＡＭペイロードは、（ｂ）に示すように、ＭＥＬ，Ｖｅｒｓｉｏｎ，ＯｐＣｏｄｅ，Ｆｌａｇｓ，ＴＬＶ  Ｏｆｆｓｅｔ，Ｓｅｑｕｅｎｃｅ  ｎｕｍｂｅｒ，ＭＥＰ  ＩＤ，ＭＥＧ  ＩＤ，Ｒｅｓｅｒｖｅｄ，Ｅｎｄ  ＴＬＶの領域を含むと共に、ＴｘＦｃｆＡ，ＲｘＦｃｂＡ，ＴｘＦｃｂＡ，ＴｘＦｃｆＢ，ＲｘＦｃｂＢ，ＴｘＦｃｂＢからなる１２バイトの構成を含むものであるが、この１２バイトの領域を、（ｄ）に示すＭＰＬＳ−ＴＰフレームフォーマットの先頭側の送信元アドレスＤＡと送信先アドレスＳＡとの１２バイトの領域に対応するから、この１２バイトのＤＡ，ＳＡを、（ｅ）に示すＣＣＭ  ＰａｙｌｏａｄとしたＣＣＭペイロード付与ＭＰＬＳ−ＴＰフレームとする。
【００２４】
又ＭＰＬＳ−ＴＰフレームは、（ｄ）に示すように、１２バイト構成の送信先アドレスＤＡと送信元アドレスＳＡとを先頭にして、Ｔｙｐｅ，ＭＰＬＳ  Ｌａｂｅｌ  ｓｔａｃｋ，ＣＷ，ＲＴＰ，Ｐａｙｌｏａｄ  Ｄａｔａ，ＦＣＳにより構成されており、このＭＰＬＳ−ＴＰフレームのルーティングに使用されるのは、ＤＡ，ＳＡのアドレス領域ではなく、ＭＰＬＳ  Ｌａｂｅｌ  ｓｔａｃｋの領域である。そこで、（ｂ）に示すＯＡＭ  Ｐａｙｌｏａｄの中の１２バイトのアドレス関係の領域を、本発明に於いては、前述のように、ＣＣＭ  Ｐａｙｌｏａｄ（ｃ）として使用するものである。即ち、（ｄ）に示すフレーム構成の先頭側の送信先アドレスＤＡと送信元アドレスＳＡとの１２バイトを、（ｅ）に示すように、ＣＣＭ  Ｐａｙｌｏａｄとしたフレーム構成とする。それにより、ＣＣＭフレームを、ＭＰＬＳ−ＴＰフレームと共に伝送することが可能となり、主信号のＭＰＬＳ−ＴＰフレームの伝送帯域を圧迫することなく、且つＣＣＭフレームの送信間隔は、主信号のＭＰＬＳ−ＴＰフレームの送信間隔と同一とすることが可能となり、フレームロス検出の迅速化を図ることができる。
【００２５】
図３は、本発明の実施例１の動作概要の従来例との比較説明図であり、（Ａ）は従来例の送信側装置と受信側装置との間のフレーム伝送の状態の一例を示し、（Ｂ）は本発明の実施例１の送信側装置と受信側装置との間のフレーム伝送の状態の一例を、（Ａ）の従来例と対比して示す。又（Ｃ）は、（Ａ），（Ｂ）に於けるフレーム種別の説明図であり、ａはＭＰＬＳ−ＴＰフレーム、ｂはＣＣＭフレーム、ｃは本発明の実施例のＣＣＭ  Ｐａｙｌｏａｄ付与ＭＰＬＳ−ＴＰフレーム、ｄはフレームロスを示す。（Ａ）の従来例に於いて、送信側装置からＭＰＬＳ−ＴＰフレームａを所定の周期で受信側装置に対して順次矢印で示す伝送方向に送信し、このＭＰＬＳ−ＴＰフレームａの送信周期より長い所定の周期、即ち、所定数のＭＰＬＳ−ＴＰフレームａを送信する周期（ＣＣＭフレームの送信周期）毎に、斜線を施して示すＣＣＭフレームｂを挿入して、送信側装置から受信側装置に対して送信する。
【００２６】
そのＣＣＭフレームｂは、前述のように、ＭＰＬＳ−ＴＰフレームａの送信数情報を付加している。又受信側装置は、ＭＰＬＳ−ＴＰフレームａの受信数をカウントアップしており、ＣＣＭフレームを受信する度に、ＭＰＬＳ−ＴＰフレームａの送信数情報と、カウントアップしたＭＰＬＳ−ＴＰフレームａの受信数とを照合し、照合一致の場合は正常、照合不一致の場合はフレームロスｄの発生と判定する。従って、ＣＣＭフレームｂの送信間隔内のフレームロスの検出を可能としても、図示のように、ＣＣＭフレームｂ直後の×印を付加して示すフレームロスｄについては、次のＣＣＭフレームｂの受信による「フレームロスを検出」として示すように検出できるが、それまでの間、フレームロスｄの検出ができないものであった。
【００２７】
これに対して、本発明は、図３の（Ｂ）に示すように、送信側装置からＣＣＭ  Ｐａｙｌｏａｄ付与ＭＰＬＳ−ＴＰフレームｃを、従来例のＭＰＬＳ−ＴＰフレームａの送信周期と同一の周期で送信することが可能であると共に、従来例のＣＣＭフレームｂを送信しないものであるから、そのＣＣＭフレームｂの送信タイミングに於いても、本発明では、ＣＣＭ  Ｐａｙｌｏａｄ付与ＭＰＬＳ−ＴＰフレームｃを送信することができる。それによって、伝送効率の向上を図ることも可能となる。又×印を付加して示すフレームロスｄ発生時には、受信側装置は、そのフレームロスｄ直後のＣＣＭ  Ｐａｙｌｏａｄ付与ＭＰＬＳ−ＴＰフレームｃの受信処理によるフレーム送信数とフレーム受信数との比較により、「フレームロスを検出」として示すように、迅速にフレームロス検出を可能とすることができる。
【符号の説明】
【００２８】
１  データ受信部
２  変換部
３  ＣＣＭペイロード変換部
４  フレーム送信部
５  フレーム受信部
６  分岐部
７  フレームカウント部
８  変換部
９  データ送信部
１１  フレーム受信部
１２  分岐部
１３  フレームカウント部
１４  送信数情報付与部
１５  フレーム送信部
【図１】
0005436496.tif 000002
【図２】
0005436496.tif 000003
【図３】
0005436496.tif 000004
【図４】
0005436496.tif 000005
【図５】
0005436496.tif 000006